【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
車室外の空気に含まれる粒子状物質の濃度を検出する粒子濃度検出装置であって、
前記車室外の空気が流れる空気通路（２４）を形成するケース部材（２１）と、
前記空気通路を流れる前記車室外の空気に含まれる粒子状物質の濃度を検出する濃度検出部（５１）と、
前記濃度検出部を収納するセンサケース（５２）と、を備え、
前記センサケースは、前記車室外の空気を前記空気通路から前記センサケースの内部に導入するセンサ流入口（５２１）と、前記センサケースの内部から前記空気通路に前記センサケースの内部の空気を流出させるセンサ流出口（５２２）と、を有し、
前記センサ流入口および前記センサ流出口は、それぞれ前記ケース部材の前記空気通路に向いて開口しており、
前記センサケースは、前記ケース部材の外周面に固定されている粒子濃度検出装置。
【請求項２】
車室外の空気に含まれる粒子状物質の濃度を検出する粒子濃度検出装置であって、
前記車室外の空気が流れる空気通路（２４）を形成するケース部材（２１）と、
前記空気通路を流れる前記車室外の空気に含まれる粒子状物質の濃度を検出する濃度検出部（５１）と、
前記濃度検出部を収納するセンサケース（５２）と、を備え、
前記センサケースは、前記車室外の空気を前記空気通路から前記センサケースの内部に導入するセンサ流入口（５２１）と、前記センサケースの内部から前記空気通路に前記センサケースの内部の空気を流出させるセンサ流出口（５２２）と、を有し、
前記センサ流入口および前記センサ流出口は、それぞれ前記ケース部材の前記空気通路に向いて開口しており、
前記ケース部材は、前記空気通路を流れる前記車室外の空気を前記センサ流入口へ導くケース流出口（２１１）と、前記センサ流出口からの前記車室外の空気を前記空気通路へと導くケース流入口（２１２）と、を有している粒子濃度検出装置。
【請求項３】
前記ケース流入口は、前記ケース流出口よりも前記空気通路を流れる前記車室外の空気の空気流れ下流側に配置されている請求項２に記載の粒子濃度検出装置。
【請求項４】
前記センサ流入口および前記センサ流出口を含む空間との間を連結するセンサ用流路（２１３）と、を備えた請求項２に記載の粒子濃度検出装置。
【請求項５】
前記ケース流入口は、該ケース流入口の下端が、前記センサ用流路の底面と連続的に接続されている請求項４に記載の粒子濃度検出装置。
【請求項６】
前記センサ用流路は、該センサ用流路の底面が、前記ケース部材に近付くほど上下方向下側に傾斜している請求項４または５に記載の粒子濃度検出装置。
【請求項７】
前記センサ用流路には、該センサ用流路の内部空間を、前記ケース流出口から前記センサ流入口に至る空間と、前記センサ流出口から前記ケース流入口に至る空間を仕切る仕切板（２１４）が形成されている請求項４ないし６のいずれか１つに記載の粒子濃度検出装置。
【請求項８】
前記仕切板には、前記ケース流出口から前記センサ流入口に至る空間と、センサ流出口から前記ケース流入口に至る空間との間を連通させる連通部（２１４ａ）が形成されている請求項７に記載の粒子濃度検出装置。
【請求項９】
前記連通部は、前記仕切板のうち、空調ケース（２１）と前記センサケースの中央よりも前記センサケース側の部位に形成されている請求項８に記載の粒子濃度検出装置。
【請求項１０】
前記センサ用流路の内部は、該センサ用流路の内部空間を迷路状に形成するラビリンス構造となっている請求項４ないし９のいずれか１つに記載の粒子濃度検出装置。
【請求項１１】
前記ケース流出口、前記ケース流入口、前記センサ流入口および前記センサ流出口の少なくとも１つに、鎧窓状のルーバー（２１５）が配置されている請求項２ないし１０のいずれか１つに記載の粒子濃度検出装置。
【請求項１２】
前記センサ流入口は、前記ケース流出口より上下方向上側に配置され、前記センサ流出口は、前記ケース流入口より上下方向上側に配置されている請求項２ないし１１のいずれか１つに記載の粒子濃度検出装置。
【請求項１３】
前記ケース流出口および前記ケース流入口の少なくとも一方には、フィルタ（６１、６２）が配置されている請求項２ないし１２のいずれか１つに記載の粒子濃度検出装置。
【請求項１４】
前記センサ流入口および前記センサ流出口の少なくとも一方には、フィルタ（６３、６４）が配置されている請求項２ないし１３のいずれか１つに記載の粒子濃度検出装置。
【請求項１５】
車室外の空気に含まれる粒子状物質の濃度を検出する粒子濃度検出装置であって、
前記車室外の空気が流れる空気通路（２４）を形成するケース部材（２１）と、
前記空気通路を流れる前記車室外の空気に含まれる粒子状物質の濃度を検出する濃度検出部（５１）と、
前記濃度検出部を収納するセンサケース（５２）と、
センサ用流路（２１３）と、を備え、
前記センサケースは、前記車室外の空気を前記空気通路から前記センサケースの内部に導入するセンサ流入口（５２１）と、前記センサケースの内部から前記空気通路に前記センサケースの内部の空気を流出させるセンサ流出口（５２２）と、を有し、
前記センサ流入口および前記センサ流出口は、それぞれ前記ケース部材の前記空気通路に向いて開口しており、
前記センサ用流路は、前記センサ流入口および前記センサ流出口を含む空間との間を連結し、
前記センサケースは、
前記センサ用流路側に突出するとともに前記センサ流入口からの前記車室内の空気を前記センサケースの内部に導く第１突出部（５３１）と、
前記センサ用流路側に突出するとともに前記センサケースの内部からの前記車室内の空気を前記センサ流出口へと導く第２突出部（５３２）と、を有し、
前記センサ流入口は、前記第１突出部の上下方向下側の面に形成され、前記センサ流出口は、前記第２突出部の上下方向下側の面に形成されている粒子濃度検出装置。
【請求項１６】
車室外の空気に含まれる粒子状物質の濃度を検出する粒子濃度検出装置であって、
前記車室外の空気が流れる空気通路（２４）を形成するケース部材（２１）と、
前記空気通路を流れる前記車室外の空気に含まれる粒子状物質の濃度を検出する濃度検出部（５１）と、
前記濃度検出部を収納するセンサケース（５２）と、を備え、
前記センサケースは、前記車室外の空気を前記空気通路から前記センサケースの内部に導入するセンサ流入口（５２１）と、前記センサケースの内部から前記空気通路に前記センサケースの内部の空気を流出させるセンサ流出口（５２２）と、を有し、
前記センサ流入口および前記センサ流出口は、それぞれ前記ケース部材の前記空気通路に向いて開口しており、
前記ケース部材は、前記空気通路を流れる前記車室外の空気を前記センサ流入口へ導くケース流出口（２１１）と、前記センサ流出口からの前記車室外の空気を前記空気通路へと導くケース流入口（２１２）と、を有し、
前記ケース部材には、前記空気通路を流れる前記車室外の空気の空気流れを妨げるリブ（２１６）が形成されており、
前記ケース流出口と前記リブの間および前記ケース流入口と前記リブの間に段差が設けられている粒子濃度検出装置。
【請求項１７】
車室外の空気を前記空気通路に導入する外気導入口（２４２）を開閉するドア部材（２２）を備え、
前記リブは、前記ドア部材と前記外気導入口の間の隙間をシールするシール部材として配置されている請求項１６に記載の粒子濃度検出装置。
【請求項１８】
前記センサ流入口から前記センサケースの内部に前記車室外の空気を導入するとともに前記センサ流出口から前記空気通路に前記車室外の空気を送風する送風ファン（５３）を備えた請求項１ないし１７のいずれか１つに記載の粒子濃度検出装置。
【手続補正２】
【補正対象書類名】明細書
【補正対象項目名】０００６
【補正方法】変更
【補正の内容】
【０００６】
上記目的を達成するため、請求項１に記載の発明は、車室外の空気に含まれる粒子状物質の濃度を検出する粒子濃度検出装置であって、車室外の空気が流れる空気通路（２４）を形成するケース部材（２１）と、空気通路を流れる車室外の空気に含まれる粒子状物質の濃度を検出する濃度検出部（５１）と、濃度検出部を収納するセンサケース（５２）と、を備え、センサケースは、車室外の空気を空気通路からセンサケースの内部に導入するセンサ流入口（５２１）と、センサケースの内部からセンサケースの内部の空気を流出させるセンサ流出口（５２２）と、を有し、センサ流入口およびセンサ流出口は、それぞれケース部材の空気通路に向いて開口しており、センサケースは、ケース部材の外周面に固定されている。
また、上記目的を達成するため、請求項２に記載の発明は、車室外の空気に含まれる粒子状物質の濃度を検出する粒子濃度検出装置であって、車室外の空気が流れる空気通路（２４）を形成するケース部材（２１）と、空気通路を流れる車室外の空気に含まれる粒子状物質の濃度を検出する濃度検出部（５１）と、濃度検出部を収納するセンサケース（５２）と、を備え、センサケースは、車室外の空気を空気通路からセンサケースの内部に導入するセンサ流入口（５２１）と、センサケースの内部からセンサケースの内部の空気を流出させるセンサ流出口（５２２）と、を有し、センサ流入口およびセンサ流出口は、それぞれケース部材の空気通路に向いて開口しており、ケース部材は、空気通路を流れる車室外の空気をセンサ流入口へ導くケース流出口（２１１）と、センサ流出口からの車室外の空気を空気通路へと導くケース流入口（２１２）と、を有している。
また、上記目的を達成するため、請求項１５に記載の発明は、車室外の空気に含まれる粒子状物質の濃度を検出する粒子濃度検出装置であって、車室外の空気が流れる空気通路（２４）を形成するケース部材（２１）と、空気通路を流れる車室外の空気に含まれる粒子状物質の濃度を検出する濃度検出部（５１）と、濃度検出部を収納するセンサケース（５２）と、を備え、センサケースは、車室外の空気を空気通路からセンサケースの内部に導入するセンサ流入口（５２１）と、センサケースの内部からセンサケースの内部の空気を流出させるセンサ流出口（５２２）と、を有し、センサ流入口およびセンサ流出口は、それぞれケース部材の空気通路に向いて開口しており、センサ用流路は、センサ流入口およびセンサ流出口を含む空間との間を連結し、センサケースは、センサ用流路側に突出するとともにセンサ流入口からの車室内の空気をセンサケースの内部に導く第１突出部（５３１）と、センサ用流路側に突出するとともにセンサケースの内部からの車室内の空気をセンサ流出口へと導く第２突出部（５３２）と、を有し、センサ流入口は、第１突出部の上下方向下側の面に形成され、センサ流出口は、第２突出部の上下方向下側の面に形成されている。
また、上記目的を達成するため、請求項１６に記載の発明は、車室外の空気に含まれる粒子状物質の濃度を検出する粒子濃度検出装置であって、車室外の空気が流れる空気通路（２４）を形成するケース部材（２１）と、空気通路を流れる車室外の空気に含まれる粒子状物質の濃度を検出する濃度検出部（５１）と、濃度検出部を収納するセンサケース（５２）と、を備え、センサケースは、車室外の空気を空気通路からセンサケースの内部に導入するセンサ流入口（５２１）と、センサケースの内部からセンサケースの内部の空気を流出させるセンサ流出口（５２２）と、を有し、センサ流入口およびセンサ流出口は、それぞれケース部材の空気通路に向いて開口しており、ケース部材は、空気通路を流れる車室外の空気をセンサ流入口へ導くケース流出口（２１１）と、センサ流出口からの車室外の空気を空気通路へと導くケース流入口（２１２）と、を有し、ケース部材には、空気通路を流れる車室外の空気の空気流れを妨げるリブ（２１６）が形成されており、ケース流出口とリブの間およびケース流入口とリブの間に段差が設けられている。